(57)【要約】【課題】施工の容易性の向上を図ることができる排水処理装置、パーティション、排水処理装置の製造方法、および排水処理装置の領域変更方法を提供することである。【解決手段】実施形態の排水処理装置は、槽体と、支持部材と、パーティションとを持つ。前記支持部材は、前記槽体の上部または上方に配置される。前記パーティションは、前記槽体の内部を第１領域と第２領域とに少なくとも部分的に仕切る。前記パーティションは、シート状の本体部と、前記本体部の第１端部に設けられ、前記支持部材に着脱可能に取り付けられる取付部とを有する。【選択図】図２
2018176072.tif 000002
【特許請求の範囲】
【請求項１】
槽体と、
前記槽体の上部または上方に配置される支持部材と、
前記槽体の内部を第１領域と第２領域とに少なくとも部分的に仕切るパーティションと、
を備え、
前記パーティションは、
シート状の本体部と、
前記本体部の第１端部に設けられ、前記支持部材に着脱可能に取り付けられる取付部と、
を有する、
排水処理装置。
【請求項２】
前記本体部は、可撓性を有する、
請求項１に記載の排水処理装置。
【請求項３】
前記支持部材は、前記槽体を横切るように配置され、
前記取付部は、前記支持部材が通される挿通穴を有する、
請求項１または請求項２に記載の排水処理装置。
【請求項４】
前記本体部は、前記第１端部とは反対側に位置した第２端部を有し、
前記パーティションは、前記本体部の前記第２端部に設けられた重し部を有する、
請求項１から請求項３のいずれか一項に記載の排水処理装置。
【請求項５】
前記本体部は、前記第１領域と前記第２領域とを連通させる開口部を有する、
請求項１から請求項４のいずれか一項に記載の排水処理装置。
【請求項６】
前記パーティションの下端と前記槽体の底部との間に、前記第１領域と前記第２領域とを連通させる隙間が形成される、
請求項１から請求項５のいずれか一項に記載の排水処理装置。
【請求項７】
前記本体部は、前記槽体の内部を前記第１領域と前記第２領域とに少なくとも部分的に仕切る第１部分と、前記槽体の前記第１領域の少なくとも一部を上方から覆う第２部分とを有する、
請求項１から請求項６のいずれか一項に記載の排水処理装置。
【請求項８】
排水処理装置の槽体に対して設置されるパーティションであって、
前記槽体の内部を第１領域と第２領域とに少なくとも部分的に仕切るシート状の本体部と、
前記本体部の端部に設けられ、前記槽体の上部または上方に配置された支持部材に着脱可能に取り付けられる取付部と、
を備えたパーティション。
【請求項９】
槽体の上部または上方に配置される支持部材に、パーティションのシート状の本体部の端部に設けられた取付部を取り付け、
前記本体部によって前記槽体の内部を第１領域と第２領域とに少なくとも部分的に仕切る、
排水処理装置の製造方法。
【請求項１０】
槽体の内部を第１領域と第２領域とに少なくとも部分的に仕切るパーティションのシート状の本体部の端部に設けられた取付部を、前記槽体の上部または上方に配置された第１支持部材から取り外し、
前記槽体の上部または上方で前記第１支持部材とは異なる位置に設けられる第２支持部材に前記取付部を取り付けることで、前記本体部によって前記槽体の内部を少なくとも部分的に仕切る位置を変更する、
排水処理装置の領域変更方法。
【発明の詳細な説明】
【技術分野】
【０００１】
本発明の実施形態は、排水処理装置、パーティション、排水処理装置の製造方法、および排水処理装置の領域変更方法に関する。
【背景技術】
【０００２】
嫌気槽と好気槽とを備えた排水処理装置が知られている。
ところで、排水処理装置は、施工の容易性の向上が期待されている。
【先行技術文献】
【特許文献】
【０００３】
【特許文献１】特表２００４−５２６５７２号公報
【発明の概要】
【発明が解決しようとする課題】
【０００４】
本発明が解決しようとする課題は、施工の容易性の向上を図ることができる排水処理装置、パーティション、排水処理装置の製造方法、および排水処理装置の領域変更方法を提供することである。
【課題を解決するための手段】
【０００５】
実施形態の排水処理装置は、槽体と、支持部材と、パーティションとを持つ。前記支持部材は、前記槽体の上部または上方に配置される。前記パーティションは、前記槽体の内部を第１領域と第２領域とに少なくとも部分的に仕切る。前記パーティションは、シート状の本体部と、前記本体部の第１端部に設けられ、前記支持部材に着脱可能に取り付けられる取付部とを有する。
【図面の簡単な説明】
【０００６】
【図１】第１の実施形態の排水処理システムを示す図。
【図２】第１の実施形態の排水処理装置を示す斜視図。
【図３】第１の実施形態の排水処理装置を示す平面図。
【図４】図３中に示された排水処理装置のＦ４−Ｆ４線に沿う断面図。
【図５】第１の実施形態のパーティションを示す斜視図。
【図６】第１の実施形態の排水処理装置の製造方法の第１の例を示すフローチャート。
【図７】第１の実施形態の排水処理装置の製造方法の第２の例を示すフローチャート。
【図８】第１の実施形態の排水処理装置の領域変更方法の一例を示すフローチャート。
【図９】第２の実施形態の排水処理装置を示す断面図。
【図１０】第３の実施形態の排水処理装置を示す斜視図。
【発明を実施するための形態】
【０００７】
以下、実施形態の排水処理装置、パーティション、排水処理装置の製造方法、および排水処理装置の領域変更方法を、図面を参照して説明する。なお以下の説明では、同一または類似の機能を有する構成に同一の符号を付す。そして、それら構成の重複する説明は省略する場合がある。また本願でいう「施工」とは、排水処理装置を新設する作業に限定されず、既設の排水処理装置を改造する作業を示す意味でも用いられる。
【０００８】
（第１の実施形態）
本実施形態の排水処理システム１は、例えば、生活排水や産業排水などの排水を浄化するための排水処理システムであり、例えば活性汚泥法が用いられる排水処理システムである。
【０００９】
図１は、第１の実施形態の排水処理システム１を示す図である。排水処理システム１は、例えば、スクリーン１１、沈砂池１２、最初沈澱池１３、排水処理装置（曝気槽）１４、分離機構１５、および処理水槽１６を備える。なお、ここでは説明の便宜上、排水処理装置１４を通過前の汚水を「被処理水」、排水処理装置１４によって処理された被処理水を「処理水」と称する。
【００１０】
スクリーン１１は、排水処理システム１に流入する被処理水から、大きなゴミ（例えば、髪の毛やトイレットペーパー）および小石などを除去する。スクリーン１１を通過した被処理水は、沈砂池１２に流入する。
【００１１】
沈砂池１２は、スクリーン１１で除去できなかった土砂や、水よりも比重が大きく、粗い浮遊物を、沈砂池１２の底に沈下させる。沈砂池１２の底に沈んだ土砂などは、除塵機によって除去される。沈砂池１２を通過した被処理水は、最初沈澱池１３に流入する。
【００１２】
最初沈澱池１３は、沈砂池１２で除去できなかった汚泥など、水よりも比重が大きく、小さな浮遊物を、最初沈澱池１３の底に沈下させる。最初沈澱池１３の底に沈んだ汚泥などは、掻き寄せ機によって集められて除去される。最初沈澱池１３を通過した被処理水は、排水処理装置１４に流入する。
【００１３】
排水処理装置１４の内部には、活性汚泥が収容されている。ここで、「活性汚泥」とは、好気性微生物（従属栄養細菌、硝化菌など）を含む有機汚泥を意味する。活性汚泥の中には、空気が吹き込まれる。これにより、被処理水中の有機物やアンモニアなどは分解されて除去される。排水処理装置１４で処理された処理水は、活性汚泥とともに分離機構１５に流入する。
【００１４】
分離機構１５は、処理水と活性汚泥とを互いに分離する。例えば、分離機構１５は、活性汚泥を沈降させることで活性汚泥を処理水から分離する最終沈澱池であってもよく、処理水のみが通過可能な分離膜を有した膜分離装置であってもよい。分離機構１５を通過した処理水は、処理水槽１６に流入する。
【００１５】
処理水槽１６内には、必要に応じて次亜塩素酸ソーダなどの消毒剤が投入される。これにより、処理水に含まれる大腸菌などの病原菌が殺菌される。処理水槽１６内で消毒された処理水は、川や海に放流される。
【００１６】
次に、排水処理装置１４における生物化学的処理について説明する。
本実施形態の排水処理装置１４は、少なくとも、嫌気領域３１と、好気領域３２とを含む（図２参照）。ここで、「嫌気領域」とは、溶存酸素および亜硝酸イオン（ＮＯ２−）や硝酸イオン（ＮＯ３−）中の酸素が存在しない、または量が少ない領域を意味する。嫌気領域３１では、曝気処理が行われない。「好気領域」とは、溶存酸素が存在する領域を意味する。好気領域３２では、曝気処理が行われる。
【００１７】
本実施形態の排水処理装置１４は、嫌気領域３１および好気領域３２が組み合わされたＡＯ型の排水処理装置１４である。ＡＯ型の排水処理装置１４では、以下のような生物化学的処理が行われる。
【００１８】
排水処理装置１４の嫌気領域３１には、後述の散気装置２４が設けられていない。嫌気領域３１では、被処理水中のリン成分の除去プロセスの第１段階として、リン蓄積菌がリンを吐き出す。
【００１９】
排水処理装置１４の好気領域３２には、空気を排水処理装置１４内の活性汚泥に供給する散気装置２４（図３参照）が設けられている。散気装置２４は、排水処理装置１４内の活性汚泥中に気泡を放出する。
【００２０】
好気領域３２では、被処理水中のリン成分の除去プロセスの第２段階として、リン蓄積菌がリンを吸収し、リンを吸収したリン蓄積菌がフロックとして沈殿除去される。好気領域３２においてリン蓄積菌に吸収されるリンの量は、嫌気領域３１においてリン蓄積菌に吐き出されるリンの量よりも多い。この吐出量と吸収量の差に基づき、リンの除去が行われる。
【００２１】
また、好気領域３２では、被処理水中の有機物質が、活性汚泥中の従属栄養細菌により分解される。具体的には、有機物質がブドウ糖であれば、下記の化学式（１）に示されるように、有機物質（Ｃ６Ｈ１２Ｏ６）が散気装置２４から供給される空気に含まれる酸素（Ｏ２）と反応し、二酸化炭素（ＣＯ２）と水（Ｈ２Ｏ）に分解される。
【００２２】
【化１】
2018176072.tif 000003
【００２３】
以上、ＡＯ型の排水処理装置１４における生物化学的処理について説明したが、排水処理装置１４は、例えばＡ２Ｏ型など他の種類の排水処理装置であってもよい。
Ａ２Ｏ型の排水処理装置では、嫌気領域と好気領域との間に無酸素領域が配置されている。「無酸素領域」とは、亜硝酸イオン（ＮＯ２−）や硝酸イオン（ＮＯ３−）中の酸素は存在するが、溶存酸素は存在しない、または量が少ない領域を意味する。無酸素領域では、曝気処理が行われない。Ａ２Ｏ型の排水処理装置では、リン成分および窒素成分がともに除去され得る。以下、Ａ２Ｏ型の排水処理装置における脱窒処理についても簡単に説明する。なお、被処理水中のリン成分の除去および有機物質の分解については上述のとおりである。
【００２４】
Ａ２Ｏ型の排水処理装置では、好気領域において、被処理水中のアンモニア成分が、活性汚泥中の硝化菌（亜硝酸菌および硝酸菌）により分解される。具体的には、下記の化学式（２）に示されるように、アンモニウムイオン（ＮＨ４＋）が、散気装置から供給される空気に含まれる酸素（Ｏ２）と反応し、硝酸イオン（ＮＯ３ー）、水素イオン（Ｈ＋）、および水（Ｈ２Ｏ）に分解される。
【００２５】
【化２】
2018176072.tif 000004
【００２６】
硝酸イオン（ＮＯ３ー）を含む被処理水は、好気領域から無酸素領域へポンプなどによって返送される。この硝酸イオン（ＮＯ３ー）は、無酸素領域において、下記の化学式（３）に示されるように、窒素（Ｎ２）に還元される。化学式（３）の左辺第２項の（Ｈ）は、被処理水中の有機物質（水素供与体）から与えられるので、この反応の促進のためには有機物が必要となる。有機物は、有機排水中の有機物でもよく、無酸素領域に供給されたアルコール、カルボン酸などでもよい。
【００２７】
【化３】
2018176072.tif 000005
【００２８】
次に、排水処理装置１４について説明する。なお、図２および図３では、排水処理装置１４で処理される被処理水および処理水の流れの向きが矢印で示される。
【００２９】
図２は、本実施形態の排水処理装置１４を示す斜視図である。図３は、本実施形態の排水処理装置１４を示す平面図である。
図２および図３に示すように、排水処理装置１４は、槽体２１と、複数の支持部材２２と、撹拌装置２３と、複数の散気装置２４と、送水機構２５と、パーティション２６とを備える。なおここでは、説明の便宜上、「槽体２１」と、「支持部材２２」とを分けて示すが、支持部材２２は、槽体２１の一部であってもよい。
【００３０】
槽体２１は、例えば地面やコンクリート面である設置面Ｇ上に設置される。本実施形態の槽体２１は、低コストおよび短期施工などを目的とした槽体であり、例えば、パネルユニット４１と、パネルユニット４１内に配置された遮水シート４２とを有する（図４参照）。
【００３１】
図４は、図３中に示された排水処理装置１４のＦ４−Ｆ４線に沿う断面図である。
図４に示すように、パネルユニット４１は、設置面Ｇに対して略鉛直に起立したパネル周壁部４３を有する。パネル周壁部４３は、例えば略鉛直方向に沿う矩形筒状に形成されている。パネル周壁部４３は、例えば、複数枚のパネル４４が互いに連結されることで形成されている。各パネル４４は、ＦＲＰ（繊維強化プラスチック）やステンレス鋼などにより矩形板状に形成されている。ただし、パネル４４の材質は、上記例に限定されず、他の材質であってもよい。複数枚のパネル４４は、互いの間にシール材を挟むとともに、ボルトのような固定具で互いに連結されてもよい。なお、複数枚のパネル４４は、シール材を挟まずに、互いに連結されてもよい。
【００３２】
本実施形態では、パネルユニット４１の上部には、後述する複数の支持部材２２が配置されている。複数の支持部材２２は、槽体２１を横切るように（すなわち、槽体２１の内部空間４５の上方を横切るように）延びている。複数の支持部材２２は、槽体２１の内部空間４５の両側に分かれて位置した複数のパネル４４同士を連結している。また、パネル周壁部４３は、例えば、Ｌ字アングルおよびアンカーなどを含む取付具によって設置面Ｇに対して固定されている。ただし、パネルユニット４１の構成は、上記例に限定されない。パネルユニット４１は、パネル周壁部４３に加え、設置面Ｇに沿うパネル底壁部を有してもよい。
【００３３】
遮水シート４２は、上方に開口した有底筒状に形成されており、設置面Ｇおよびパネルユニット４１の内面形状に沿って配置される。遮水シート４２は、槽体２１に流入する被処理水を貯留する。例えば、遮水シート４２は、設置面Ｇに上方から接するシート底壁部４６と、パネル周壁部４３の内面に接するシート側壁部４７とを有する。シート底壁部４６およびシート側壁部４７は、一体に形成されている。シート側壁部４７の上部は、パネル周壁部４３の上部に固定されている。これにより、遮水シート４２は、パネルユニット４１によって周囲が取り囲まれ、パネルユニット４１によって外側から支持されている。
【００３４】
遮水シート４２は、例えば、厚さが０．５ｍｍ〜１．０ｍｍ程度のゴム状のシートである。このため、遮水シート４２は、輸送時などでは折り畳んだ状態で輸送することができる。なお、遮水シート４２の材料は、被処理水を貯留可能であれば、特に限定されない。例えば、遮水シート４２は、ポリエチレンやポリプロピレンなどの樹脂材料により形成されてもよい。
【００３５】
支持部材２２は、上述したように、槽体２１の上部に配置されている。「槽体の上部」とは、槽体の一部であって、設置面から槽体の上端までの高さの半分よりも高い位置にある部分を意味する。「槽体の上部に配置される」とは、支持部材が設置面から槽体の上端までの高さの半分よりも高い位置にあり、且つ、支持部材が槽体の上端に接する、または支持部材の少なくとも一部が槽体の上端よりも下方に位置することを意味する。例えば、本実施形態では、複数の支持部材２２は、パネルユニット４１の上端部に固定されている。ただし、支持部材２２は、槽体２１によって支持される場合に限定されず、槽体２１以外の部材によって支持されてもよい。
【００３６】
また、支持部材２２は、槽体２１の上部に代えて、槽体２１の上方に配置されてもよい。「槽体２１の上方に配置される」とは、支持部材２２が槽体２１から離れて、槽体２１の上方に位置することを意味する。この場合も、支持部材２２は、槽体２１によって支持されていてもよく、槽体２１以外の部材によって支持されてもよい。
【００３７】
ここで、図２を用いて、第１方向Ｘ１および第２方向Ｘ２を定義する。第１方向Ｘ１および第２方向Ｘ２は、略水平方向に沿う方向である。そして、第１方向Ｘ１は、槽体２１に流入した被処理水の主な流れ方向に沿う方向である。別の観点で見ると、第１方向Ｘ１は、嫌気領域３１から好気領域３２に向かう方向である。一方で、第２方向Ｘ２は、第１方向Ｘ１とは交差する（例えば略直交する）方向である。
【００３８】
図２から図４に示すように、本実施形態では、複数の支持部材２２は、第２方向Ｘ２に沿って槽体２１を横切るように延びている。例えば、複数の支持部材２２の各々は、第２方向Ｘ２で互いに離れた複数のパネル４４に亘っている。複数の支持部材２２は、例えばボルトのような固定具５１によって、槽体２１のパネル周壁部４３の上端部に固定されている。これにより、支持部材２２は、パネル周壁部４３の強度を向上させることができる。本実施形態では、支持部材２２は、槽体２１の強度を向上させる補強部材の１つである。
【００３９】
なお、槽体２１に対する支持部材２２の配置方式は、上記例に限定されない。例えば、支持部材２２は、パネル周壁部４３の上部に設けられた穴に挿入されることで、槽体２１に対して固定されてもよい。また、槽体２１に対する補強部材としての機能を支持部材２２が有しない場合、支持部材２２は、パネル周壁部４３の上端部に設けられた窪み上に載置されるだけでもよい。また、支持部材２２は、第２方向Ｘ２に代えて、第１方向Ｘ１またはその他の方向に沿って延びていてもよい。また、支持部材２２は、槽体２１を完全に横断していなくてもよい。
【００４０】
本実施形態の排水処理装置１４は、例えば、４つの支持部材２２（第１支持部材２２ａ、第２支持部材２２ｂ、第３支持部材２２ｃ、および第４支持部材２２ｄ）を備えている。４つの支持部材２２は、例えば互いに同じ形状を有する。例えば、４つの支持部材２２は、第１方向Ｘ１において、互いの間に間隔を空けて並べられている。なお、排水処理装置１４に設けられる支持部材２２の数は、上記例に限定されない。
【００４１】
本実施形態では、支持部材２２は、細長い梁部材（棒状部材）である。また、支持部材２２の長手方向に略直交する断面における支持部材２２の断面形状は、例えば矩形である。ただし、支持部材２２の形状は、上記例に限定されない。例えば、支持部材２２の断面形状は、円形、楕円形、多角形などであってもよい。
【００４２】
支持部材２２は、後述するように槽体２１に対してパーティション２６を保持するための十分な強度を有する材料であれば、任意の材料で形成されてよい。例えば、支持部材２２は金属製であってもよく、ＦＲＰ（繊維強化プラスチック）製であってもよい。
【００４３】
撹拌装置２３は、嫌気領域３１に配置される。例えば、撹拌装置２３は、槽体２１の底部２１ａ（シート底壁部４６）上に配置される。例えば、撹拌装置２３は、気泡を放出することで被処理水および活性汚泥を撹拌する。ただし、撹拌装置２３は、上記例に代えて、被処理水および活性汚泥を機械的に撹拌する回転撹拌羽根を有する撹拌装置でもよい。
【００４４】
散気装置２４は、好気領域３２に配置される。例えば、散気装置２４は、槽体２１の底部２１ａ（シート底壁部４６）上に配置される。例えば、散気装置２４は、撹拌装置２３が放出する気泡よりも微細な気泡を放出する。この気泡に含まれる酸素（Ｏ２）により、好気領域３２内で、上述した活性汚泥による生物化学的処理が行われる。
【００４５】
送水機構２５は、好気領域３２内において下流側の位置に配置される。送水機構２５は、好気領域３２内の被処理水および活性汚泥を、下流側の処理プロセス（例えば、分離機構１５）に向けて送り出す。送水機構２５は、例えばポンプである。
【００４６】
次に、パーティション２６について説明する。
本実施形態では、パーティション２６は、槽体２１の内部を嫌気領域３１と好気領域３２とに少なくとも部分的に仕切る。すなわち、パーティション２６は、好気領域３２から嫌気領域３１に向かう空気の移動を抑制することで、嫌気領域３１の嫌気雰囲気を維持する。嫌気領域３１は、「第１領域」の一例である。好気領域３２は、「第２領域」の一例である。本願でいう「少なくとも部分的に仕切る」とは、パーティション２６によって槽体２１の内部が、複数の領域に完全に仕切られる、または複数の領域に部分的に仕切られることを意味する。すなわち、「少なくとも部分的に仕切る」とは、２つの領域が完全に仕切られる場合に限定されず、２つの領域を連通させる隙間（例えば、パーティション２６と槽体２１の底部２１ａとの間の隙間、またはパーティション２６と槽体２１の内側壁との間の隙間）などが残る場合や、２つの領域を連通させる開口部（例えば、後述する開口部６４）などが形成された場合も含む。
【００４７】
図５は、本実施形態の排水処理装置１４のパーティション２６を示す斜視図である。
図５に示すように、パーティション２６は、シート状の本体部６１と、取付部（取付機構）６２と、重し部６３とを有する。
【００４８】
本体部６１は、後述する取付部６２によって支持されることで、槽体２１の内部に位置する。本体部６１は、槽体２１内において略鉛直に起立している。ただし、「略鉛直に起立している」とは、本体部６１の下端が槽体２１の底部２１ａに接することで本体部６１が撓んでいる場合や、撹拌装置２３や散気装置２４の影響で本体部６１が煽られている場合も含む。本体部６１は、矩形平面状に形成されている。本体部６１は、槽体２１の内部を、嫌気領域３１と好気領域３２とに少なくとも部分的に仕切る。
【００４９】
本体部６１は、第１端部（上端部）６１ａと、第２端部（下端部）６１ｂとを有する。第１端部６１ａは、槽体２１の上部に配置される。第２端部６１ｂは、第１端部６１ａとは反対側に位置する。第２端部６１ｂは、槽体２１の下部に配置される。「槽体の下部」とは、槽体の一部であって、設置面から槽体の上端までの高さの半分よりも低い位置にある部分を意味する。本実施形態では、第２端部６１ｂは、槽体２１の底部２１ａに接している、または槽体２１の底部２１ａの近傍に位置する。
【００５０】
本体部６１は、遮水性と可撓性とを有するシート状の部材である。例えば、本体部６１は、パーティション２６の輸送時に、丸めるまたは折り畳むことができる程度の柔軟性を有する。例えば、本体部６１は、槽体２１の遮水シート４２と同じ材料で形成される。すなわち、本体部６１は、例えば、厚さが０．５ｍｍ〜１．０ｍｍ程度のゴム状のシートである。なお、本体部６１の材料は、遮水性を有すれば、上記例に限定されない。例えば、本体部６１は、ポリエチレンやポリプロピレンなどの樹脂材料により形成されてもよい。
【００５１】
本実施形態では、本体部６１は、嫌気領域３１と好気領域３２とを連通させる開口部６４を有する。嫌気領域３１で撹拌された被処理水および活性汚泥の一部は、開口部６４を通って好気領域３２へ移動可能である。本実施形態では、開口部６４は、本体部６１の下部中央に設けられている。すなわち、開口部６４は、本体部６１のなかで、第１端部６１ａよりも第２端部６１ｂの近くに位置する。ただし、開口部６４は、本体部６１の下部のなかで側端部に近い位置に設けられてもよい。なお、開口部６４の位置および大きさは、好気領域３２中の空気（酸素）が嫌気領域３１に入り過ぎないように適宜設定されている。
【００５２】
取付部６２は、本体部６１の第１端部６１ａに設けられ、支持部材２２に着脱可能に取り付けられる。取付部６２は、支持部材２２に対してパーティション２６を固定する固定部である。例えば、取付部６２は、第２方向Ｘ２におけるシートＳの全幅に亘って、本体部６１の第１端部６１ａに設けられている。
【００５３】
本実施形態では、取付部６２は、シート状の本体部６１の延長部として形成されている。具体的には、取付部６２は、図５に示すように、一枚のシートＳの一端部をシートＳの中央部に向けて丸め、当該丸めた部分の先端縁部をシートＳの表面に溶接などで溶着させることで形成される。すなわち、取付部６２は、シートＳの一端部が丸められたことで形成された筒状部分（第１筒部）６５を含む。これにより、取付部６２は、本体部６１の第１端部６１ａに沿って取付部６２を貫通した挿通穴６６を有する。挿通穴６６は、支持部材２２が通されるための穴である。本実施形態では、取付部６２の挿通穴６６に支持部材２２が通されることで、パーティション２６が支持部材２２に着脱可能に取り付けられる。なお、本実施形態では、シートＳの溶接部６７が、本体部６１と取付部６２との間の境界となる。
【００５４】
ただし、取付部６２は、上記例に限定されない。取付部６２は、本体部６１の第１端部６１ａに設けられ、パーティション２６を支持部材２２に取り付ける機能を持つ構成であれば特に限定されない。例えば、取付部６２は、シートＳとは別部材として設けられ、支持部材２２が通される挿通穴を有する１つ以上の筒状またはリング状の部材でもよい。また、取付部６２は、支持部材２２に対してボルトのような固定具によって固定される部材でもよく、支持部材２２を挟持する挟持機構でもよい。あるいは、取付部６２は、本体部６１の上端部に設けられた穴と、当該穴に通されて支持部材２２と本体部６１とを束ねるバンドとを有する結束機構であってもよい。また逆に、支持部材２２に対して取付部６２を着脱可能に固定する機構が支持部材２２に設けられてもよい。例えば、支持部材２２は、パーティション２６の取付部６２を挟持する挟持機構を有してもよい。
【００５５】
本実施形態では、取付部６２は、第１支持部材２２ａに取り付けられている。そして、取付部６２は、第１支持部材２２ａから取り外された後、第２支持部材２２ｂ、第３支持部材２２ｃ、または第４支持部材２２ｄに着脱可能に取り付けることができる。
【００５６】
重し部６３は、本体部６１の第２端部６１ｂに設けられる。重し部６３は、排水処理装置１４の使用時に、水流によるパーティション２６の移動（撹拌装置２３や散気装置２４の影響による煽りを含む）を抑制するための重しとして機能する。重し部６３は、槽体２１の底部２１ａに接していてもよいし、槽体２１の底部２１ａから離れていてもよい。例えば、重し部６３は、第２方向Ｘ２におけるシートＳの全幅に亘って、本体部６１の第２端部６１ｂに設けられている。
【００５７】
本実施形態では、重し部６３は、取付部６２と反対側のシートＳの一端部を丸めることにより形成された筒状部分（第２筒部）６８と、第２筒部６８に挿入された重量物６９とを含む。第２筒部６８は、上記の取付部６２の第１筒部６５と同様に形成することができる。すなわち、重し部６３は、図５に示すように、取付部６２と反対側のシートＳの一端部をシートＳの中央部に向けて丸め、当該丸めた部分の先端縁部をシートＳの表面に溶接などで溶着させることで形成される。このとき、重し部６３は、取付部６２と同様、本体部６１の第２端部６１ｂに沿って重し部６３を貫通した挿通穴６６を有する。
【００５８】
重量物６９は、シートＳよりも比重の大きな部材であり、材質および形状は特に限定されない。重量物６９は、例えば、金属製の棒状部材または管部材である。重量物６９は、挿通穴６６から第２筒部６８の内側に挿入されている。その後、第２筒部６８の両端部がそれぞれ溶接などで溶着されることで挿通穴６６が閉じられる。これにより、重量物６９は、水流によりパーティション２６が移動（撹拌装置２３や散気装置２４の影響による煽りを含む）した場合でも、第２筒部６８の内側に保持される。なお、第２筒部６８の両端部は、溶着させずに挟持部材や結束部材などで閉じられてもよい。
【００５９】
なお、重し部６３は、上記例に限定されない。重し部６３は、本体部６１の第２端部６１ｂに設けられ、パーティション２６の重しとして機能する部材であれば特に限定されない。例えば、重し部６３は、本体部６１の第２端部６１ｂに任意の方式で取り付けられた重量物であってもよい。例えば、重し部６３は、本体部６１の第２端部６１ｂを挟み込んだ状態で互いに固定された一対の重量物であってもよい。
【００６０】
次に、本実施形態の排水処理装置１４の製造方法について説明する。
図６は、排水処理装置１４の製造方法の第１の例を示すフローチャートである。この第１の例は、槽体２１を含む排水処理装置１４の全部が新設される場合の例である。
【００６１】
この製造方法の例では、まず、槽体２１が組み立てられる（Ｓ１０１）。具体的には、複数枚のパネル４４が互いに連結されることにより、設置面Ｇ上にパネルユニット４１が組み立てられる。その後、設置面Ｇおよびパネルユニット４１の内面形状に沿って、パネルユニット４１に対して遮水シート４２が取り付けられる。
【００６２】
次に、パーティション２６の取付部６２が、支持部材２２に取り付けられる（Ｓ１０２）。本実施形態では、支持部材２２が取付部６２の挿通穴６６に通されることにより、取付部６２が支持部材２２に取り付けられる。あるいは、パーティション２６を形成するシートＳの端部が支持部材２２に巻き付けられた状態で当該端部の先端縁部がシートＳに溶着されることで、パーティション２６が支持部材２２に取り付けられてもよい。すなわち、取付部６２の形成と、支持部材２２への取付部６２の取付けとが略同時に行われてもよい。
【００６３】
次に、パーティション２６が取り付けられた支持部材２２が、槽体２１の上部または上方に配置される（Ｓ１０３）。本実施形態では、支持部材２２の両端部が、固定具５１により、パネルユニット４１のパネル周壁部４３の上端部にそれぞれ固定される。なお、Ｓ１０２の作業およびＳ１０３の作業は、並行して行われてもよい。例えば、支持部材２２の端部の一方がパネル周壁部４３の上端部に固定された後、支持部材２２の端部の他方がパネル周壁部４３の上端部に固定される前に、パーティション２６の取付部６２が支持部材２２に取り付けられてもよい。
【００６４】
パーティション２６が取り付けられた支持部材２２が槽体２１の上部または上方に配置されることにより、パーティション２６の本体部６１が支持部材２２から吊り下げられる。その結果、槽体２１の内部が、パーティション２６の本体部６１により、嫌気領域３１と好気領域３２とに少なくとも部分的に仕切られる（Ｓ１０４）。なお、Ｓ１０３の作業およびＳ１０４の作業は、並行して行われてもよい。また、撹拌装置２３、散気装置２４、および送水機構２５が槽体２１の内部に設置される。撹拌装置２３、散気装置２４、および送水機構２５が槽体２１の内部に設置される作業は、Ｓ１０２からＳ１０４のいずれの作業の前に行われてもよいし、後に行われてもよい。
【００６５】
図７は、本実施形態の排水処理装置１４の製造方法の第２の例を示すフローチャートである。この第２の例は、好気領域のみを有するコンクリート製の槽体２１に対してパーティション２６が追加で設置されることにより、槽体２１の内部が嫌気領域３１と好気領域３２とに仕切られる（すなわち、嫌気領域３１が形成される）場合の例である。槽体２１は既に設置されており、槽体２１の上部または上方に支持部材２２が既に配置されている。
【００６６】
まず、パーティション２６の取付部６２が、支持部材２２に取り付けられる（Ｓ２０１）。例えば、第１の例と同様（Ｓ１０２参照）、支持部材２２が挿通穴６６に通されることにより、取付部６２が支持部材２２に取り付けられる。支持部材２２が槽体２１から取り外し可能である場合は、支持部材２２を挿通穴６６に通すために、支持部材２２が槽体２１から一旦取り外されてもよい。また、上述のように、パーティション２６を形成するシートＳの端部が支持部材２２に巻き付けられた状態で当該端部の先端縁部がシートＳに溶着されることで、パーティション２６の取付部６２が槽体２１に取り付けられてもよい。
【００６７】
取付部６２が支持部材２２に取り付けられると、第１の例と同様（Ｓ１０４参照）、パーティション２６の本体部６１が支持部材２２から吊り下げられる。その結果、槽体２１の内部が、パーティション２６の本体部６１により、嫌気領域３１と好気領域３２とに少なくとも部分的に仕切られる。
【００６８】
なお、ここでは支持部材２２が槽体２１に既に設けられている場合を考えたが、槽体２１のみが設置済で支持部材２２は未設置である場合は、前もってパーティション２６が支持部材２２に取り付けられた後（Ｓ１０２参照）、支持部材２２が、パーティション２６ごと槽体２１の上部または上方に配置される（Ｓ１０３参照）。あるいは、パーティション２６が支持部材２２に取り付けられる前に、支持部材２２が槽体２１の上部または上方に配置されてもよい。
【００６９】
また、この第２の例は、通常のコンクリート製の槽体２１だけでなく、上記のパネルユニット４１を有する槽体２１などに対しても適用することができる。
【００７０】
なお、この第２の例は、嫌気領域および好気領域を既に有する槽体に対して無酸素領域が追加で形成される場合、並びに好気領域を既に有する槽体に対して嫌気領域および無酸素領域が追加で形成される場合などにも適用することができる。
【００７１】
次に、本実施形態の排水処理装置１４の領域変更方法について説明する。
図８は、本実施形態の排水処理装置１４の領域変更方法の一例を示すフローチャートである。これは、槽体２１が既に組み立てられており、槽体２１の上部または上方に複数の支持部材２２が既に配置されており、パーティション２６によって既に仕切られた領域を変更する例である。
【００７２】
槽体２１の内部は、パーティション２６の本体部６１により、嫌気領域３１と好気領域３２とに仕切られている。まず、第１支持部材２２ａからパーティション２６の取付部６２が取り外される（Ｓ３０１）。次に、取り外されたパーティション２６の取付部６２が、第１支持部材２２ａとは別の支持部材（本実施形態では、第２支持部材２２ｂ、第３支持部材２２ｃ、または第４支持部材２２ｄ）に取り付けられる（Ｓ３０２）。これにより、槽体２１の内部は、パーティション２６の本体部６１により、再び嫌気領域３１と好気領域３２とに仕切られる。パーティション２６の位置が変更されるので、嫌気領域３１および好気領域３２の形状および容積が変更される。なお、第２支持部材２２ｂ、第３支持部材２２ｃ、または第４支持部材２２ｄに対するパーティション２６の取付部６２の取り付け方法は、第１支持部材２２ａに対するパーティション２６の取付部６２の取り付け方法と同様である。
【００７３】
なお、上記例では複数の支持部材２２が槽体２１に設けられているが、支持部材２２の数は１つでもよい。この場合、パーティション２６が支持部材２２から取り外される際に、支持部材２２自体も一度槽体２１から取り外される。次に、取り外された支持部材２２は、上記の「別の支持部材」に対応する位置（パーティション２６が設置される位置に対応する位置）に設置される。次に、取り外されたパーティション２６の取付部６２が、再設置された支持部材２２に取り付けられる。
【００７４】
以上のような構成によれば、施工の容易性の向上を図ることができる。例えば、本実施形態のパーティション２６は、シート状の本体部６１と、支持部材２２に着脱可能に取り付けられる取付部６２とを有するので、支持部材２２に吊り下げられることで設置可能であり、施工が容易である。このため、排水処理装置１４を設置するためのイニシャルコストが低減され得る。
【００７５】
また、既に設置済の槽体２１に対して、パーティション２６を後付けすることができる。例えば、好気槽として利用されている槽体２１にパーティション２６が後付けされることにより、嫌気領域３１および好気領域３２の両方を有した排水処理装置１４を製造することができる。同様に、嫌気領域および好気領域を有した槽体２１に対してさらにパーティション２６が後付けされることにより、嫌気領域、無酸素領域、および好気領域を有した排水処理装置１４を製造することもできる。これに対し、好気槽として利用されているコンクリート製の槽体を嫌気領域３１および好気領域３２を有する2つの槽体に改造するには非常に大がかりな作業が必要である。従って、本実施形態では、設置済の排水処理装置１４の構成および機能を、簡便に変更することができる。
【００７６】
さらに、パーティション２６が支持部材２２に対して着脱可能に取り付けられているので、一度パーティション２６が支持部材２２に取り付けられた後、状況に応じてパーティション２６の位置を変更することができる。例えば、使用されている排水処理装置１４の嫌気領域３１と好気領域３２との容積比を変更する必要が生じた場合に、パーティション２６の位置が適宜変更されることにより、より適切な容積比の嫌気領域３１および好気領域３２を提供することができる。これに対し、全てがコンクリート製の槽体の場合、一度形成された嫌気領域３１および好気領域３２の容積比を変更することは困難である。従って、本実施形態では、排水処理装置１４の改良作業を簡便に行うことができる。
【００７７】
また、本実施形態では、パーティション２６の取付部６２および重し部６３は、本体部６１と一体のシートＳから形成されている。このような構成によれば、部材の数が少なくなるため、輸送コストや施工上の負担などが低減され得る。また、取付部６２および重し部６３は、シートＳの端部を曲げて溶着させるという簡便な方法のみで形成することができる。このため、パーティション２６が単なる１枚のシートＳとして輸送されて、現地で取付部６２および重し部６３が形成されてもよい。これにより、輸送コストがさらに低減され得る。
【００７８】
本実施形態では、本体部６１は、可撓性を有する。このような構成によれば、コンクリート製のパーティション２６などに比べて運搬や輸送が容易であるので、施工が容易になり、輸送コストも低減され得る。また、設置済の槽体２１に対するパーティション２６の後付けやパーティション２６を取り付けた後の位置変更が容易に行われ得る。さらに、加工が容易であるので、取付部６２、重し部６３、および開口部６４を現地で形成するなど、状況に応じた柔軟な利用が可能となる。
【００７９】
本実施形態では、支持部材２２は、槽体２１を横切るように配置され、取付部６２は、支持部材２２が通される挿通穴６６を有する。このような構成によれば、支持部材２２を挿通穴６６に通すという簡便な作業のみで、別途の固定具などを用いることなく、パーティション２６が支持部材２２に取り付けられ得る。
【００８０】
本実施形態では、パーティション２６は、本体部６１の第２端部６１ｂに設けられた重し部６３を有する。このような構成によれば、水流や散気によるパーティション２６の移動が抑制されることにより、パーティション２６の位置（すなわち、嫌気領域３１と好気領域３２との間の境界）が安定して保持され得る。これにより、各領域における生物化学的処理が効率的に進行し得る。
【００８１】
本実施形態では、本体部６１は、嫌気領域３１（第１領域）と好気領域３２（第２領域）とを連通させる開口部６４を有する。このような構成によれば、嫌気領域３１における汚泥の過度な蓄積が抑制されるので、嫌気領域３１と好気領域３２との間の汚泥濃度の偏りが低減され得る。これにより、パーティション２６が嫌気領域３１に蓄積した汚泥に押されて好気領域３２側へ移動してしまうのを避けることができる。
【００８２】
（第２の実施形態）
次に、図９を参照して、第２の実施形態について説明する。第２の実施形態では、パーティション２６が開口部６４を有さず、その代わりにパーティション２６の下端と槽体２１の底部２１ａとの間に隙間ｇが形成される点で、第１の実施形態とは異なる。なお、以下に説明する以外の構成は、第１の実施形態と同様である。
【００８３】
図９は、第２の実施形態の排水処理装置１４を示す断面図である。
図９に示すように、第２の実施形態の排水処理装置１４では、パーティション２６の下端（重し部６３）と槽体２１の底部２１ａ（シート底壁部４６）との間に隙間ｇが形成されている。嫌気領域３１の被処理水および活性汚泥は、隙間ｇを通って好気領域３２へ移動する。なお、第２の実施形態のパーティション２６の本体部６１は開口部６４を有しないが、第１の実施形態と同様、本体部６１が開口部６４を有してもよい。
【００８４】
本実施形態では、パーティション２６の下端と槽体２１の底部２１ａとの間に、嫌気領域３１（第１領域）と好気領域３２（第２領域）とを連通させる隙間ｇが形成される。このような構成によれば、嫌気領域３１における汚泥の過度な蓄積が抑制されるので、嫌気領域３１と好気領域３２との間の汚泥濃度の偏りが低減され得る。これにより、パーティション２６が嫌気領域３１に蓄積した汚泥に押されて好気領域３２側へ移動してしまうのを避けることができる。
【００８５】
（第３の実施形態）
次に、図１０を参照して、第３の実施形態について説明する。第３の実施形態では、パーティション２６の本体部６１の一部（第２部分７２）が槽体２１の嫌気領域３１の少なくとも一部を上方から覆う点で、第１の実施形態とは異なる。なお、以下に説明する以外の構成は、第１の実施形態と同様である。ここで、「嫌気領域３１（第１領域）の少なくとも一部を上方から覆う」とは、嫌気領域３１の水面より高いところに位置する（本体部６１の第２部分７２が水面に上方から接している状態も、水面から離れている状態も含む）とともに、鉛直方向に見たときに嫌気領域３１と少なくとも部分的に重なることである。
【００８６】
図１０は、第３の実施形態の排水処理装置１４を示す斜視図である。
図１０に示すように、第３の実施形態の排水処理装置１４では、パーティション２６の一部が槽体２１の嫌気領域３１の少なくとも一部を上方から覆う。例えば、本実施形態では、槽体２１の上端部に複数（例えば５つ）の支持部材２２が設けられている。第１の実施形態と異なり、第１支持部材２２ａ、第２支持部材２２ｂ、第３支持部材２２ｃ、および第４支持部材２２ｄに加えて、第５支持部材２２ｅが槽体２１の最も上流側に設けられている。第５支持部材２２ｅは、例えば、槽体２１の上流側の端部に設けられている。パーティション２６の取付部６２は第５支持部材２２ｅに取り付けられている。パーティション２６は、第５支持部材２２ｅから第１支持部材２２ａに向けて延びており、パーティション２６の一部が第１支持部材２２ａの上に載せられている。これにより、パーティション２６は、第５支持部材２２ｅおよび第１支持部材２２ａにより支持されている。本体部６１は第１支持部材２２ａのところで屈曲し（屈曲部７３）、第１支持部材２２ａから垂れ下がっている。
【００８７】
本実施形態では、本体部６１は、第１部分７１および第２部分７２を有する。第１部分７１は、本体部６１の一部であって、上述のように第１支持部材２２ａから垂れ下がった部分である。一方、第２部分７２は、本体部６１の一部であって、第５支持部材２２ｅと第１支持部材２２ａとの間の部分である。すなわち、第１部分７１と第２部分７２との間の境界は、第１支持部材２２ａにより形成される本体部６１の屈曲部７３である。
第１部分７１は、第１の実施形態のパーティション２６の本体部６１と同様、槽体２１の内部を嫌気領域３１と好気領域３２とに少なくとも部分的に仕切る。一方、第２部分７２は、槽体２１の嫌気領域３１の少なくとも一部を上方から覆う。
【００８８】
なお、第２部分７２は、嫌気領域３１の水面に接していてもよく、水面から離れていてもよい。また、本実施形態では、パーティション２６の取付部６２が第５支持部材２２ｅに取り付けられているが、取付部６２は、任意の固定具を用いて、槽体２１のパネルユニット４１に直接取り付けられてもよい。また、本実施形態では、第１部分７１および第２部分７２が一体としてパーティション２６の本体部６１を形成しているが、その代わりに、第１の実施形態のパーティション２６および当該パーティション２６とは別部材であるカバーシートが使用されてもよい。この場合、パーティション２６は、第１の実施形態と同様、本実施形態の第１部分７１の役割を果たす。一方、カバーシートは、嫌気領域３１の少なくとも一部を上方から覆うように配置されて、本実施形態の第２部分７２の役割を果たす。
【００８９】
本実施形態では、本体部６１は、槽体２１の内部を嫌気領域３１（第１領域）と好気領域３２（第２領域）とに少なくとも部分的に仕切る第１部分７１と、槽体２１の嫌気領域３１（第１領域）の少なくとも一部を上方から覆う第２部分７２とを有する。このような構成によれば、嫌気領域３１の少なくとも一部を上方から覆う第２部分７２により、大気中の酸素が嫌気領域３１の水面から被処理水中に溶け込むのが抑制され得る。これにより、嫌気領域３１の嫌気度が向上し得る。
【００９０】
以上説明した上記各実施形態では、槽体２１の内部が、パーティション２６の本体部６１により、嫌気領域３１と好気領域３２とに仕切られる場合を考えたが、パーティション２６により仕切られる「第１領域」および「第２領域」は、嫌気領域および好気領域に限定されない。例えば、「第１領域」および「第２領域」は、無酸素領域や微好気領域など、任意の雰囲気の領域とすることができる。また、上記各実施形態では、本体部６１の第２端部６１ｂに重し部６３が設けられているが、重し部６３に加えて、または重し部６３の代わりに、本体部６１の第２端部６１ｂを槽体２１の底部２１ａ（シート底壁部４６）に固定するための固定部材が設けられてもよい。例えば、槽体２１の底部２１ａ上に、本体部６１の第２端部６１ｂを（ボルトによる固定、締付固定、挟持などにより）保持する保持部材が設置されていてもよい。
【００９１】
以上説明した少なくともひとつの実施形態によれば、シート状の本体部と、槽体の支持部材に着脱可能に取り付けられる取付部とを有するパーティションを持つことにより、排水処理装置の施工の容易性の向上を図ることができる。
【００９２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９３】
１４…排水処理装置、２１…槽体、２１ａ…底部、２２…支持部材、２６…パーティション、３１…嫌気領域（第１領域）、３２…好気領域（第２領域）、６１…本体部、６１ａ…第１端部、６１ｂ…第２端部、６２…取付部、６３…重し部、６４…開口部、６６…挿通穴、７１…第１部分、７２…第２部分、ｇ…隙間。
【図１】
2018176072.tif 000006
【図２】
2018176072.tif 000007
【図３】
2018176072.tif 000008
【図４】
2018176072.tif 000009
【図５】
2018176072.tif 000010
【図６】
2018176072.tif 000011
【図７】
2018176072.tif 000012
【図８】
2018176072.tif 000013
【図９】
2018176072.tif 000014
【図１０】
2018176072.tif 000015